(57)【特許請求の範囲】
【請求項１】
物理的空間内で認識可能な出力の空間分布を実現するための制御システムの設定を提供するための装置であって、
前記制御システムは、前記物理的空間内に配置される少なくとも一つの出力デバイスを制御するよう構成され、かつ、
前記物理的空間内の前記出力デバイスの位置を表すデータをメモリ内に保持するよう構成され、
当該装置は、前記出力デバイスの一の少なくとも一つの位置を特定するユーザ入力を取得するための入力デバイスを有し、
前記設定は、前記ユーザ入力に基づくものであり、かつ、
前記入力デバイスは、少なくとも一つの部品であり、該部品上に少なくとも第一の点を位置づけるユーザによる操作のための前記部品、及び、前記入力デバイスの第二の点を通る少なくとも一つの軸に関する前記第一の点の角座標を検出するための出力を提供するよう構成されるセンサ装置を有し、
前記出力デバイスの一の少なくとも一つの位置は、前記部品上の角座標に関して特定される、
ことを特徴とする、装置。
【請求項２】
請求項１に記載の装置であって、
ユーザによる操作のための前記部品は、面を定義し、
前記部品は、前記第一の点として前記面上の点を示すようユーザにより操作されることができ、かつ、
前記センサ装置は、前記第一の点の位置を検出するよう構成される
ことを特徴とする、装置。
【請求項３】
請求項１に記載の装置であって、
前記第二の点を通るただ一つの軸についての前記第一の点の角座標に対応するデータが取得される
ことを特徴とする、装置。
【請求項４】
請求項１に記載の装置であって、
前記第二の点は、前記入力デバイスに対して固定されている
ことを特徴とする、装置。
【請求項５】
請求項１に記載の装置であって、
前記部品上の前記第一の点は、前記入力デバイスの上に広がる経路に沿い、かつ、
少なくとも１８０度を超える前記第二の点の囲む相互作用の点、特に一般には閉じた経路の相互作用の点に対応する
ことを特徴とする、装置。
【請求項６】
請求項１に記載の装置であって、前記装置は、
前記出力デバイスの一と関連する少なくとも一つの位置に関連する前記ユーザ入力が前記入力デバイスを通じて取得されることができる第一モードと、
前記ユーザ入力が関連する前記位置と関連する出力デバイスにより発せられた照明の少なくとも一つの制御可能な態様に関連する前記ユーザ入力が前記入力デバイスを通じて取得されることができる第二モードとを切り替えるようさらに構成されている、
装置。
【請求項７】
請求項６に記載の装置であって、前記装置は、
前記第二モードにおいて、色の選択に関連するユーザ入力が、前記入力デバイスを通じて取得されることができる
ことを特徴とする、装置。
【請求項８】
請求項１に記載の装置であって、
前記入力デバイスは、前記ユーザによる操作のための前記部品により定義される経路に沿って情報を表示する少なくとも一つのディスプレイデバイスを有し、
当該装置は、表示される前記情報を合わせるよう構成される
ことを特徴とする、装置。
【請求項９】
請求項１に記載の装置であって、前記装置は、
前記出力デバイスの少なくとも一つへの距離の非接触による測定のため、少なくとも一つのセンサをさらに有し、
前記設定は、前記測定された距離にさらに基づいてなされる
ことを特徴とする、装置。
【請求項１０】
請求項１に記載の装置であって、前記装置は、
前記出力デバイスの少なくとも一つの高さのレベルを表すユーザ入力を取得するための入力デバイス
をさらに有する、装置。
【請求項１１】
請求項１に記載の装置であって、
少なくとも、前記出力デバイスの一と関連する少なくとも一つの位置と関連するユーザ入力を取得するための入力デバイスは、携帯用の筐体に含まれる
ことを特徴とする、装置。
【請求項１２】
請求項１に記載の装置であって、前記装置は、
物理的空間のセットの中から前記物理的空間を選択するための入力デバイスを有する
ことを特徴とする、装置。
【請求項１３】
認識可能な出力の空間分布を実現するための制御システムの設定を提供する方法であって、
前記制御システムは、物理的空間内に配置される少なくとも一つの出力デバイスを制御するよう構成され、かつ、
前記物理的空間内の前記出力デバイスの位置を表すデータをメモリ内に保持するよう構成され、
前記設定は、前記出力デバイスの一の少なくとも一つの位置を特定するユーザ入力に基づくものであり、かつ、
ユーザ入力を表す前記データの少なくとも一部は入力デバイスから取得され、前記入力デバイスは、少なくとも一つの部品であり、該部品上に少なくとも第一の点を位置づけるユーザによる操作のための前記部品、及び、前記入力デバイスの第二の点を通る少なくとも一つの軸に関する前記第一の点の角座標を決定するための出力を提供するセンサ装置を有し、
前記出力デバイスの一の少なくとも一つの位置は、前記部品上の角座標に関して特定される、
ことを特徴とする、方法。
【請求項１４】
請求項１ないし１２いずれか一項に記載の装置の使用を含む、請求項１３に記載の方法。
【請求項１５】
情報処理能力を有するシステムに請求項１３又は１４による方法を実行させることのできる命令のセットを含む、コンピュータプログラム。
【発明の詳細な説明】
【技術分野】
【０００１】
本発明は、認識可能な出力の空間分布を実現するための制御システムの設定を提供する装置に関する。また、本発明は、認識可能な出力の空間分布を実現するための制御システムの設定を提供する方法に関する。また、本発明は、コンピュータプログラムに関する。
【背景技術】
【０００２】
ＷＯ２００５／０５２７５１は、複数の照明システムの位置をマッピングするための照明システムマネージャーを開示する。実施形態において、マッピング設備が、二次元空間内の照明をマップする。構成ファイルは、所望の組み合わせ又は環境のためのマッピングシステムにおける照明システムの位置のほかに、各照明システムのための識別子を保管することができる。構成ファイルは、照明システムで照らされる位置についての情報も保管することができる。一つの実施形態において、ある環境内の照明システムの位置を自動的に取得する方法が適用される。カメラは、照明の位置の分析及び計算のための画像を取得することができる。他の実施形態において、構成ファイルは、タイプ入力されることができる。あるいは、構成ファイルは、環境表示の上に光源をドラッグアンドドロップすることができるグラフィカルユーザインターフェースにより実現される。
【０００３】
カメラ又はグラフィカルユーザインターフェースを用いることによる問題点は、それが照明のショーを実現するための専門家向けのシステムにのみ真に適合するように、比較的高価で複雑なシステムを必要とすることである。
【先行技術文献】
【特許文献】
【０００４】
【特許文献１】国際公開第２００５／０５２７５１号
【発明の概要】
【発明が解決しようとする課題】
【０００５】
単純に実現でき、直感的に使用できる制御システムの設定を提供するための装置、方法及びコンピュータプログラムを提供することが望ましい。
【課題を解決するための手段】
【０００６】
この目的は、物理的空間内で認識可能な出力の空間分布を実現するための制御システムの設定を提供するための装置であって、前記制御システムは、前記物理的空間内に配置される少なくとも一つの出力デバイスを制御するよう構成され、かつ、前記物理的空間内の（例えば、基準点に対して）前記出力デバイスの位置を表すデータをメモリ内に保持するよう構成され、当該装置は、前記出力デバイスの一の少なくとも一つの位置を特定するユーザ入力を取得するための入力デバイスを有し、前記設定は、前記ユーザ入力に基づくものであり、かつ前記入力デバイスは、ユーザによる操作のための少なくとも一つの部品上の少なくとも第一の点を位置づけるための、前記部品、及び、前記入力デバイスの第二の点を通る少なくとも一つの軸についての前記第一の点の角座標（ａｎｇｕｌａｒ  ｃｏ−ｏｒｄｉｎａｔｅ）を検出するよう構成されるセンサ装置を有する、入力デバイスであることを特徴とする装置を提供することによって実現される。
【０００７】
前記制御システムは、前記物理的空間内に配置される少なくとも一つの出力デバイスを制御するよう構成され、かつ、基準点に対する前記物理空間内の各出力デバイスに関連する位置を表すデータをメモリ内に保存するよう構成されるので、ユーザの実際の物理的環境において、いかなる物理的環境とは無関係に特定される認識可能な出力の空間分布を実現することができる。ユーザは、初めに入力デバイスを用いて出力デバイスの場所を示す。前記入力デバイスは、ユーザによる操作のための少なくとも一つの部品上の少なくとも第一の点を位置づけるための、前記部品、及び、当該入力デバイスの第二の点を通る少なくとも一つの軸についての前記第一の点の角座標を検出するための出力を提供するよう構成されるセンサ装置を有する。多くの種類の出力にとって、その出力がユーザに到達する方向又はユーザによって知覚される方向がわかれば十分である。実際に、これは、出力デバイスの場所又は出力デバイスによって提供される効果の経過を追う論理的な方法である。なぜなら、シーン（音風景、照明分布、等）は、一般的にユーザの周囲に作り上げられるためである。ユーザによる操作のための部品を有する入力デバイスは、そのような情報を提供するためのインターフェースとして十分である。なぜならば、入力デバイスは、座標系における角座標の値を提供することができるためである。一方、コンピュータのマウス又は同様の入力デバイスは、フィードバックを提供するために、グラフィカルなディスプレイを必要とする。なぜなら、それらの入力デバイスは、移動を表す出力を提供するのみであるためである。ユーザが設定を提供することにより、出力デバイスを自動で位置づけるためのシステムは必要とされない。前記設定は、各出力デバイスと関連する位置を表すデータを有する制御システムのメモリを追加するための初期設定であり得ることに注意する。あるいは、前記設定は、コマンドが適用される一つ又は複数の出力デバイスが、その位置によって特定されるユーザコマンドであり得ることに注意する。
【０００８】
一つの実施形態において、ユーザによる操作のための前記部品は面を定義し、前記部品は、前記第一の点として前記面上の点を示すようユーザにより操作されることができ、かつ、前記センサ装置は、前記第一の点の位置を検出するよう構成される。
【０００９】
この実施形態は、特に物理的空間内の扇形のセクター（ｓｅｃｔｏｒ）又は絶対角を特定するために比較的直感的なユーザインターフェースを提供する。この実施形態は、また、比較的実現することが容易である。なぜなら、部品のどの位置が角座標の値のゼロに対応するのかを示すために、明確な又は暗黙の方向支援が、面の上で提供されるからである。
【００１０】
一つの実施形態において、前記第二の点を通るただ一つの軸についての前記第一の点の角座標に対応するデータが取得される。
【００１１】
したがって、一般的に物理的空間のフロアに対応する平面において、一つのセクターを示すユーザ入力を表すデータは、角座標を含むことができる。前記実施形態は、そのような位置の特定は、一般に多くの種類の出力には十分であり、特にビルの部屋の中に共通する距離を大きく越えても弱められないという理解に基づくものである。
【００１２】
一つの実施形態において、前記第二の点は、前記入力デバイスに対して固定されている。
【００１３】
ユーザが前記第二の点を特定する必要がないため、これにより入力デバイスは容易に使うことができる。
【００１４】
一つの実施形態において、前記部品上の前記第一の点は、前記入力デバイスの上に広がる経路（ｐａｔｈ）に沿う点に対応し、かつ、少なくとも１８０度を超える前記第二の点の囲む相互作用の点、特に一般には閉じた経路の相互作用の点に対応する。
【００１５】
この実施形態は、比較的単純なセンサ装置をもたらす。前記センサ装置は、経路に沿う相互作用の点の位置を測定することができる必要があるだけである。一般的な閉じた経路は、例えば、照明及び音に適合するものである。
【００１６】
一つの実施形態において、ユーザによる操作のための部品は、ダイアルを有する。
【００１７】
前記ダイアルは、仮想的であってもよく、また物理的であってもよい。ダイアルは、角座標を測定するために特に適している。
【００１８】
一つの実施形態においては、当該装置は、前記出力デバイスの一と関連する少なくとも一つの位置に関連する前記ユーザ入力が前記入力デバイスを通じて取得することができる第一モードと、前記ユーザ入力が関連する前記位置と関連する出力デバイスにより発せられた照明の少なくとも一つの制御可能な態様に関連する前記ユーザ入力が前記入力デバイスを通じて取得できる第二モードとを切り替えるよう構成されている。この実施形態により、同一の入力デバイスが、一つの出力デバイスの出力の態様を特定し、かつ、角座標に関して位置を特定するために用いられることができる。したがって、提供される必要のある入力デバイスの物理的部品はより少なくなる。あるいは、少なくともよりコンパクトになり、散らかることが少なくなる。
【００１９】
一つの変形例として、前記第二モードにおいて、色の選択に関連するユーザ入力が、前記入力デバイスを通じて取得されることができる。
【００２０】
色の特定との組み合わせは、特に適切である。なぜなら、ちょうど角座標が円の位置として特定されることができるのと同様に、色は色相環の位置によって特定されるためである。本実施形態は、したがって、出力デバイスが多様な色の照明を発するときに特に適する。
【００２１】
一つの実施形態において、前記入力デバイスは、前記ユーザによる操作のための前記部品により定義される経路に沿って情報を表示する少なくとも一つのディスプレイデバイスを有し、当該装置は、表示される前記情報を合わせるよう構成される。
【００２２】
前記装置の一つの実施形態は、前記出力デバイスの少なくとも一つへの距離の非接触による測定のため、少なくとも一つのセンサを有し、前記設定は、前記測定された距離にさらに基づいてなされる。
【００２３】
本実施形態は、出力が前記物理的空間の距離特性による減衰の影響を受けるとき、より詳細な出力装置の位置を特定するために有用である。位置は、したがって、物理的空間内（角座標が一つだけ存在するときには、基準点を通る軸に対して）の基準点及び物理的空間内の基準点への距離に対して少なくとも一つの角座標として特定される。もちろん、前記装置は、制御システムの設定を提供する前に、別の座標系へこの仕様を変換（ｔｒａｎｓｌａｔｅ）することができる。
【００２４】
一つの実施形態は、前記出力デバイスの少なくとも一つの高さのレベルを表す、ユーザ入力を取得するための入力デバイスを有する。
【００２５】
本実施形態は、三次元のあらゆる物理的環境とは無関係に特定される、認識可能な出力の空間分布を実現するために適する。一般的に、前記高さは、例えば、地表面、目の高さ、天井の高さのような、比較的粗い基準において、相対的な高さとして特定されることができる。したがって、前記入力デバイスは、とても単純であることができる。分離された入力デバイスを提供することにより、角座標を特定するためにユーザにより用いられる入力デバイスの単純かつ直感的な特性が保たれる。
【００２６】
一つの実施形態において、少なくとも、前記出力デバイスの一と関連する少なくとも一つの位置と関連するユーザ入力を取得するための入力デバイスは、携帯用の筐体に含まれる。
【００２７】
入力デバイスが、物理的空間へ、実際には物理的空間の基準点へ取り入れられることができるため、前記入力デバイスは容易に用いられる効果がある。さらに、ユーザが入力デバイスを操作するとき、ユーザによる操作のための装置の点の角座標のゼロの位置が、所定の角座標のゼロの位置に揃えられるよう、前記入力デバイスは回転されることができる。これは、ユーザが部屋で座っているときに通常向いている方向のような、北又は１２時として予め定められる方向に対応することができる。
【００２８】
一つの実施形態において、前記装置は、物理的空間のセットの中から前記物理的空間を選択するための入力デバイスを有する。
【００２９】
同一の入力デバイスが、一つ以上の空間、例えば部屋で、出力装置と関連する位置に関する設定を提供するために用いられることができる効果がある。出力デバイスを制御しているとき、物理的空間の物理的特性を推測するために、制御システムによりこの情報が用いられることができる。例えば、照明が壁面から反射され、音がよく反響するよう、バスルームは一般的にタイル状になっている。
【００３０】
本発明の別の態様によると、認識可能な出力の空間分布を実現するための制御システムの設定を提供する方法であって、前記制御システムは、前記物理的空間内に配置される少なくとも一つの出力デバイスを制御するよう構成され、かつ、（基準点に対する）前記物理的空間内の前記出力デバイスの位置を表すデータをメモリ内に保持するよう構成され、前記設定は、前記出力デバイスの一の少なくとも一つの位置を特定するユーザ入力に基づき、ユーザ入力を表す前記データの少なくとも一部は、ユーザによる操作のための少なくとも一つの部品上の少なくとも第一の点を位置づけるための前記部品、及び、前記入力デバイスの第二の点を通る少なくとも一つの軸についての前記第一の点の角座標を決定するセンサ装置を有する入力デバイスから取得されることを特徴とする方法が提供される。
【００３１】
前記方法は、音、照明又は同様のものの空間分布を実現するために適する形式の設定を提供することにとても適する。なぜなら、そのような分布は、一般に、ユーザの固有のイマーシブな体験（ｉｍｍｅｒｓｉｖｅ  ｅｘｐｅｒｉｅｎｃｅ）を作り出すためのユーザ中心の方法で特定されるためである。
【００３２】
前記方法の実施形態は、本発明による装置の使用を含む。
【００３３】
本発明の別の態様によると、情報処理能力を有するシステムに本発明による方法を実行させることのできる命令のセットを含むコンピュータプログラムが、コンピュータが読み取り可能な媒体に組み込まれて、提供される。
【００３４】
コンピュータプログラムは、本発明による装置において入力デバイスから取得される入力から、設定が処理されることを可能にする。
【発明の効果】
【００３５】
単純に実現でき、直感的に使用できる制御システムの設定を提供するための装置、方法及びコンピュータプログラムを提供できる
【図面の簡単な説明】
【００３６】
【図１】イマーシブな体験が作り出されるいくつかの空間が存在するビルの断面の概略図である。
【図２】イマーシブな体験の作成のためのシステムのいくつかの部品を表す略図である。
【図３】一つの物理的空間の地図を表す略図である。
【図４】図２のシステムの一つの出力デバイスの少なくとも一つの位置に関するユーザ入力の提供のための入力デバイスを有するリモコン装置の第一の実施形態の概略図である。
【図５】図２のシステムの一つの出力デバイスの少なくとも一つの位置に関するさらなるユーザ入力の提供のための、異なるモードにおけるリモコン装置の概略図である。
【図６】適合された入力デバイスに関するディスプレイと、さらに別のモードにおけるリモコン装置の概略図である。
【図７】物理的空間における出力デバイスと位置とを結びつけるテーブルを追加する方法を表すフローチャートである。
【図８】変更される設定を図２のシステムの制御システムへ提供する方法を表すフローチャートである。
【発明を実施するための形態】
【００３７】
消費者は、自分の雰囲気を作ることのできる、パーソナライズされた環境を実現することを好む。消費者が、彼らの家５のあらゆる部屋番号１ないし４において専用の雰囲気を作ることができるシステムについて説明する。本システムは、専門家の使用にも適する。ここで説明される例において、雰囲気は、主に照明効果によりもたらされる。その結果は、特定の音風景又は立体視効果により増大されることができる。
【００３８】
図２を参照すると、少なくとも二つ存在する照明装置６ないし８のいかなる数又は組み合わせはそのシステムに含まれることができ、かつ、照明装置の数は本質的に制限されない。そのような照明装置６ないし８は、例えば色相、彩度及び明るさのような１つ以上の適応パラメータを有し、複雑かつ柔軟である。
【００３９】
そのような複雑な照明装置６ないし８が多数使用されるとき、各照明装置６ないし８のための壁面の照明スイッチを用いることは、あまりうまく動作しない。この理由に対して、制御デバイス９及び制御デバイス９のためのリモコン装置１０の形状をした関連する携帯装置が提供される。照明装置６ないし８は、例えばＩＥＥＥ８０２．１１規格の一による無線ＬＡＮ（ｌｏｃａｌ  ａｒｅａ  ｎｅｔｗｏｒｋ）又はＺｉｇＢｅｅ若しくはＢｌｕｅｔｏｏｔｈ仕様による無線ＰＡＮ（ｐｅｒｓｏｎａｌ  ａｒｅａ  ｎｅｔｗｏｒｋ）のようなネットワーク１１を経由して制御デバイス９に接続されている。説明される実施形態において、リモコン装置１０及び制御デバイス９は、ネットワーク１１への各インターフェース１２、１３を経由して互いに通信する。しかし、別の実施形態において、直接接続されることもできる。同様に、制御デバイス９は、照明装置６ないし８の一つに統合されることもできる。
【００４０】
制御デバイス９は、特定の雰囲気の種類と関連する照明分布の抽象的な記述を、入力として用いる。制御デバイスは、そのような抽象的な記述を、照明装置６ないし８が設置される特定の物理的空間における雰囲気を再作成するための、照明装置６ないし８の制御信号へと変換する。この目的を達成するために、制御デバイス９は、データ処理装置１４、メモリ１５、及び、いかなる物理的空間、特に照明装置６ないし８が位置する物理的空間から独立している、照明の空間分布の仕様の取得のための、少なくとも一つのＩ／Ｏデバイス１６とともに提供される。
【００４１】
前記仕様は、ａｍＢＸ記述言語のような記述言語を用いて、例えば、特定の効果の位置に関し得る。制御デバイス９は、記述言語を解析し、記述される効果が利用可能な照明装置６ないし８によりどのように生成されるか決定し、かつ、ネットワーク１１を経由して照明装置６ないし８へ適切な更新信号を提供するよう構成される。
【００４２】
多くの特定される効果は、照明装置６ないし８の種類に依存しないだけでなく、照明装置６ないし８の位置にも依存しない。位置に関する適切な仕様は、図３において示される。図３は、二次元において、部屋１７内のフロア空間が、コンパスの点に対応する扇形のセクター１８ないし２５へどのように分割されているかを示す。小さい部屋と大きい部屋の間で区別がされないよう、相対的な大きさの概念は存在しない。代わりに、セクター１８ないし２５は、ユーザの場所に対応すると仮定される基準点２６に集まる。北又は１２時に対応する一つの最初のセクター１８は、ユーザが自然に注目する方向に対応する。物理的な室内において、この方向は、例えば、ソファ又はメインの椅子に座っているユーザが面している方向である。
【００４３】
利用可能な照明装置６ないし８を有する物理的空間内において、抽象的に特定される認識可能な出力の空間分布を実現するために、制御システムは、メモリ１５内に、部屋１７内の各照明装置６ないし８に関連する、基準点２６と相対的な位置、及び、任意でさらに、例えば、基準点２６への高さ又は距離のような、位置の詳細を表すデータを保持する。
【００４４】
前記データは、照明装置６ないし８と関連する少なくとも一つの位置に関するユーザ入力を表すデータに基づく設定として提供される。前記位置は、関係している照明装置６ないし８の位置、照明が生成する（すなわち、照明が可視であるとき）照明効果の位置、又は両方である。前記ユーザ入力は、リモコン装置１０に含まれる入力デバイスによって取得される。入力デバイスは、ユーザにより操作されることができ、かつ、ディスプレイデバイス２７を含む、タッチスクリーンデバイス形式である。ディスプレイデバイス２７は、位置がユーザにより入力されているとき（図４）、角座標を表示する。前記タッチスクリーンデバイスは、基準点を通る少なくとも一つの軸と相対的な、タッチスクリーン上の点の角座標を検出するためのセンサ装置２８（図２）をさらに有する。このような状況における部品の操作とは、ユーザがこの部品に触れることができ、かつ、部品に対して、又は部品を動かすことにより、接触する点の場所を変えることができることを意味する。
【００４５】
図４の実施形態において、リモコン装置１０は、円形のタッチスクリーンデバイスを有し、外側の領域は、ディスプレイデバイス２７により表示される角座標とともに、ホイール２９の形状をしている。ホイール２９は、リモコン制御装置１０上の平面内に広がる、中心点３０を囲む閉じたループの形状による面の一部として実装されている。ユーザの指３２とホイール２９との間の相互作用の点３１の場所が、検出されることができる。その場所は、中心点３０を通る軸、かつ、ホイール２９の平面と垂直な角座標に対応する。
【００４６】
図４の実施形態において、角座標が、図３で表示されるセクターに対応するコンパスの点として示される。タッチスクリーンデバイスは、ホイール２９の外縁内の全ての領域を占める。かつ、方向支援３３は、部屋１７内において、ユーザが、中心点３０を通る軸に対する角座標と基準点２６を通る水平軸に対する角座標とを結びつけることを支援する。
【００４７】
図５を参照すると、リモコン装置１０は、仮想スライダー３４の形をした入力デバイスをさらに提供するよう構成されることができる。リモコン装置１０は、物理的なボタン４０ないし４４を含む多数のさらなる入力デバイス３５ないし３９もまた有する。
【００４８】
スライダー３４は、ユーザが角座標に加えて高さのレベルを特定することができるような、任意の機能である。一つの実施形態において、高さは、例えば５つの値又はそれ以下の、特には３つの値のセットから選択されることができる。前記の値は、例えば、フロア、目の高さおよび天井の高さのような、相対的な値であり得る。
【００４９】
説明される実施形態において、３つのボタン４０ないし４２は、例えば、照明装置６ないし８、スピーカ４５、４６、および立体視出力装置（ｔａｃｔｉｌｅ  ｏｕｔｐｕｔ  ｄｅｖｉｃｅ）４７、４８のような、三種類の異なる出力デバイスの場所を設定するための入力デバイス３５ないし３７に含まれる。
【００５０】
第４のボタン４３は、部屋１７内の基準点２６から、照明装置６ないし８のうち一つ、スピーカ４５、４６のうち一つ、又は立体視出力装置４７、４８のうち一つまでの距離を測定するためのデバイス４９と連動するための入力デバイス３８に含まれ得る。この測定デバイス４９は、例えば、関係する出力装置に適する赤外線（図示されない）に応答することができる。さらに、出力デバイスが所定の強度の出力を提供するよう制御されているとき、信号振幅を測定することができる。他の非接触距離測定方法が使用されることができる。
【００５１】
さらなるボタン４４は、入力モードの切替を示すための入力デバイス３９に含まれる。照明装置６ないし８の設定を行う状況において、第一のモードにおいて、少なくとも一つの角座標に関するユーザ入力は、ホイール２９を用いて提供される（図４）。第二のモードにおいて、スライダー３４が示される（図５）。第三のモードにおいて、ホイール２９は、図４及び図５のコンパスの点が消されて色相環の描写に置き換えられるよう、ディスプレイ装置２７の適切な制御を通じて外観を変える。ホイール２９とともに接触点３１は、次に、例えばユーザが出力の色を設定できるよう、色相環上の場所に対応する。どのようにこの機能が実装されるかについてのさらなる詳細は、ＷＯ２００８／０３８１７９から得られる。
【００５２】
第四のモードにおいて、ホイール２９は、図６に示される形状に外観を再び変える。このモードでは、家５の部屋１ないし４を表すアイコン５０ないし５２が表示されている。このモードは、ユーザが各部屋１ないし４の出力デバイスの位置のセットを保存することができるよう用いられることができる。同一のリモコン装置１０及び制御デバイス９は、したがって、家５全体で用いられることができる。
【００５３】
図７は、様々な出力デバイス６ないし８、４５ないし４８の位置を、どのようにメモリ１５に設定することができるか示すものである。
【００５４】
ボタン４０ないし４２のうち一つを押すことにより、制御デバイス９及びリモコン装置１０を有する装置を位置設定モードへと切り替える（ステップ５３）。リモコン装置１０は、デフォルトでは図４の外観を呈することを意味する。さらに、ホイール２９は図６のように現われ、ユーザは最初に部屋を選択する。次に、例えば、部屋１７の中の照明装置６ないし８の位置の設定のためのモードを切り替え、リモコン装置１０がディスプレイデバイス２７の出力を合わせるために、ボタン４４を押す（ステップ５４）。
【００５５】
ユーザが、どの照明装置６ないし８の場所を設定しているのかわかるよう、デバイスは識別される（ステップ５５）。制御デバイス９は、例えば、所定の出力を提供するため、特定の照明装置６ないし８のみを動作させることができる。さらに、分離した照明が、各照明装置６ないし８上で提供されることができる。その分離した照明は、照明装置６ないし８にフォーカスが当てられているとき、スイッチがオンになる。さらに別の実施形態において、ユーザはデバイスを指し示す。例えば、各照明装置６ないし８は、一意の出力信号を提供するよう作られることができ、距離測定デバイス４９は、例えば、その信号を取得するために照明装置６ないし８に向けられることができる。他の実施形態も可能である。
【００５６】
制御デバイス９は、例えば、家５の各部屋１ないし４のための複数のテーブル５７ないし６０の形式の、データベース５６を保持する。
【００５７】
照明装置６ないし８が識別されると、ユーザは、既に識別された照明装置６ないし８が配置される部屋１７のセクター１８ないし２５を示すために、関係のある接触点３１へ彼又は彼女の指３２を動かす。一つの実施形態において、この座標は、指を離す時の接触点３１のホイール２９に沿う場所に対応する。別の実施形態において、正しい入力についての確認のためのいくつかの形態が得られる。例えば、軽く叩く（ｔａｐｐｉｎｇ）ジェスチャー又は所定のインターバル時間の間、同一の接触点を維持することにより、ユーザ入力を確認する。
【００５８】
必要であれば、ユーザは次に、スライダー３４を、入力が関連する照明装置６ないし８の高さのレベルを示すよう動かすことができ、かつ／又は、リモコン装置１０を照明装置に向け、距離測定を取得するためにボタン４３を押すことができる。
【００５９】
これらのデータが取得されると、ユーザ入力を表すデータは、識別された照明装置６ないし８と関連するデータベース５６のテーブル５７のエントリへの入力（ステップ６２）のため、設定を取得するよう用いられる（ステップ６１）。設定の取得に関するステップ６１は、制御デバイス９とリモコン装置１０のいずれか又は両方において実行されることができる。一つの実施形態において、ステップ６１は、ユーザ入力データの、データベース５６に適合する特定の形式の設定への変換を含む。
【００６０】
次に、制御デバイス９又はユーザは、方法が終了する場合においてデータベース５６のテーブル５７が完結しない限りは、設定が提供されるべき次の照明装置６ないし８を識別する。
【００６１】
図８は、例えば、照明出力の色を変えるため、一つ以上の照明装置６ないし８の設定がどのように変更されることができるかを示す。この方法において、設定が適用される照明装置６ないし８は、データベース５６において保持されるそれらの位置によって識別される。
【００６２】
第一のステップ６３において、ユーザは、例えば、モードを変えるためのボタン４４を押すことにより、モードを変えるための適切なコマンドを、照明の色が変えられる照明装置に提供する。
【００６３】
任意の次のステップにおいて（図示されない）、予備のモードにより、ユーザがデバイスの種類を選択できる。この目的を達成するために、例えば、アイコンがホイール２９上に表示されることができる。このステップにより、ユーザは、位置又は位置の範囲を示すことで、その位置又は位置のその範囲内の全てのデバイスよりむしろ、特定のデバイスの種類だけを選択できる。この方法において、例えば、ユーザは、後続の新しい設定が、全ての照明装置６ないし８ではなく、スポットライトにのみ適用され、又は背景照明を提供する周囲照明装置にのみ適用されることを示すことができる。
【００６４】
部屋は既知のものであるとみなせるので、ディスプレイデバイス２７は、図４に示されるように、コンパスの点を表示する（ステップ６４）。
【００６５】
ユーザは、次に、適切な点３１においてホイール２９に接触することにより、少なくとも一つの第一の角座標を示す（ステップ６５）。任意で、ユーザは、次に、コンパスの弧（ｓｅｇｍｅｎｔ）が定義されるように、角位置が決定される第二の接触点３１へと動かす。
【００６６】
制御デバイス９は、次に、コンパスの弧の中の全ての照明装置６ないし８を識別する（ステップ６７）。あるいは、制御デバイス９は、第二の入力ステップ６６が省かれるとき、第一の角座標に対して最も近いデバイスを識別する。この識別ステップ６７は、図６の方法を用いて取得される設定を用いる。ユーザが、ホイール２９の全体の外周に沿った円のジェスチャを行っているとき、全ての照明装置６ないし８、又は、少なくとも上で述べた任意のステップにおいて既に示された種類の少なくとも全ての照明装置６ないし８は、新たなデバイスの設定のための目標として識別される。
【００６７】
次に、ディスプレイデバイス２７は、コンパスの点の場所に色相環を表示する（ステップ６８）。ユーザは、ホイール２９との接触点３１を通して、色を選択することができる。この入力は受信され（ステップ６９）、前のステップ６７で識別された全ての装置のための設定を構成する（ステップ７０）。
【００６８】
さらなるステップにおいて（図示されない）、ディスプレイデバイス２７は、照明装置６ないし８の選択されたいくつかにより発せられる照明のさらになる態様を設定するために、例えばスケールのような値のセットが表示される。例として、ＣＣＴ（相関色温度）、明るさ及び彩度が含まれる。
【００６９】
したがって、リモコン装置１０の構成による方法は、雰囲気を提供するシステムをセットアップするときに出力デバイスの位置を入力すると同時に、その後出力デバイスのそれぞれの設定を変えるためにも用いられることができる。
【００７０】
注目すべきは、上述の実施形態は、本発明を制限するのではなく説明するものであり、当業者は、添付されるクレームの範囲を逸脱することなく多数の別の実施形態を設計することができるであろう。クレームにおいて、括弧の間に置かれるいかなる参照符号も、クレームを制限するよう解釈されてはならない。“含む”の語は、クレーム内に列挙される要素又はステップ以上の別の要素又はステップの存在を除外するものではない。要素に先行する“一つの（ａ）”又は“一つの（ａｎ）”の語は、そのような複数の要素の存在を除外するものではない。特定の手段が相互に異なる従属クレームにおいて列挙されているという単なる事実は、それらの手段の組み合わせが利益を得るために用いられ得ないことを示すものではない。
【００７１】
示された実施形態において、ユーザによる操作のための部品は、ユーザが点を示すことができる平面を定義する。その点は、中心点３０を通るただ一つの軸について、ある点の角座標に対応するユーザ入力を表すデータである。別の実施形態において、それぞれの軸についての点の二つの角座標に対応するユーザ入力を表すデータが取得される。その場合、面は、例えば球又は半球のような三次元面であり得る。面を横切って指３２を動かす代わりに、面を提供する部品は、例えば、トラックボールの形状で、リモコン装置の固定される点に対して移動されることができる。ただし、単なる変位ではなく絶対的な位置を決定することができるようにセンサ装置が提供されていることが条件である。
【００７２】
さらなる別の実施形態において、面はタッチスクリーンであり、ユーザは二本の指をタッチスクリーン上に置くことができ、一つの接触点は基準点（第二の点）として機能する。
【００７３】
また、リモコン装置の筐体がユーザによる操作のための部品であるとき、基準点は、リモコン装置内の点であり、角座標が検出されるべき点は、リモコン装置上の別の点である。リモコン装置を特定の場所へ回転することは、そのような構成において角座標の値を提供する。この実施形態は、リモコン装置１０（又はリモコン装置１０及び／又は制御デバイス９と関連するポインティングデバイス）の筐体内の加速度計により第一の変形例において実装される。第二の変形例において、入力デバイス内の電子コンパスが、入力デバイスが保つ角度の決定のための出力を提供するためのセンサ装置として用いられる。
【００７４】
同様の方法が、既に効果を提供しているデバイスを指示し、または、例えば制御デバイス９の筐体上若しくは出力デバイス６ないし８、４５ないし４８の一つで提供される効果の表示を指示することにより、その効果を選択するために用いられることができる。したがって、図８の方法は、ポインティングデバイスの方向及び（所定のインターバル時間、方向付けを維持することにより簡単になされる）入力の確認方法を変えることにより、完全な代わりの方法として実装されることができる。
【符号の説明】
【００７５】
１  物理的空間
６  照明装置
９  制御システム
１０  リモコン装置
１１  ネットワーク
１２  インターフェース
１３  インターフェース
１４  データ処理装置
１５  メモリ
１６  Ｉ／Ｏデバイス
２６  基準点
２７  ディスプレイデバイス
２８  センサ装置
２９  ホイール
３０  中心点
３１  第一の点
５６  データベース
【図１】
0005620925.tif 000002
【図２】
0005620925.tif 000003
【図３】
0005620925.tif 000004
【図４】
0005620925.tif 000005
【図５】
0005620925.tif 000006
【図６】
0005620925.tif 000007
【図７】
0005620925.tif 000008
【図８】
0005620925.tif 000009